(57)【要約】【課題】鉢植え植物の潅水方法である紐を使った底面給水方式において、植物の管理を容易にするために透明な貯水槽を使用した場合、給水用の紐が見え鑑賞価値を落としていた。観賞価値を上げるため給水用の紐を隠すように貯水槽を不透明な材質にすると内部の水位が解りにくいため植物の管理が困難な状況になっていた。また給水用の紐をその役割を果たす形状に保持するための構造物が給水用の紐とは別に必要であった。【解決手段】給水用の紐の外側に上端及び下端を開放した筒状の覆いを設け観賞価値を高めるとともに、覆いと一体化した給水用の紐に強度を持たせることにより紐の形状保持のための構造物を不要にした。覆いと一体化した給水用の紐に設けた上部プレートの上に敷かれた給水マットからその上に置いた植木鉢に底面給水し、植物管理の難しさを解決した。【選択図】図２
2005198636.tif 000002
【特許請求の範囲】
【請求項１】
筒状の覆いの上端及び下端を開放しその中に紐を通して、紐と覆いを一体化してあることを特徴とする底面給水用の紐。
【請求項２】
前記覆いの上端及び下端に筒内部が貫通した状態でプレートを取り付け、その中に紐を通し、筒状の覆いの上端に取り付けられたプレートの上部に敷かれた給水マットに、筒の上端から出した紐が接するように配置され、筒の下端から出した紐は貯水槽の水と接するように配置されている。これらが一体化したことを特徴とする請求項１記載の底面給水用の紐。
【発明の詳細な説明】
【技術分野】
【０００１】  この発明は、鉢植え植物等の底面給水に用いる紐の形状に関する。
【背景技術】
【０００２】  鉢植え植物の潅水方法として、紐を使った底面給水方式がある。この方式は潅水の回数を減らすことができ、水分量を最適な状態に保つのには非常に有効な手段であり、誰にでも簡単に植物を育てることができる。この方式は図３に示すように、植木鉢３の底から鉢内部の培地７に接する状態で給水用の紐１が植木鉢３の下部に位置する貯水槽４の中にある水５に接する様に配置されている。貯水槽４の水は給水用の紐１の毛管現象により上部にある培地７に達し植物に利用される。
また給水用紐を隠す為、貯水槽４は全部または一部を省き不透明な材質で出来ていた。また、給水用の紐とは別に、紐を給水用紐の役割を果たす形状に保持するための構造物１１が必要であった。
【発明の開示】
【発明が解決しようとする課題】
【０００３】  しかしながら、以上の技術によれば、貯水槽４が全部または一部を省き不透明な材質であるため、潅水の時期が解りづらく植物の栽培を困難なものにしていた。潅水の時期を解りやすくするために貯水槽４を透明な材質にした場合、紐１は外部から見えてしまい鑑賞価値を落とす結果となっていた。また、図４と図５に示すように、給水用の紐１とは別に、植木鉢３に取り付けた給水用紐１の役割をはたす形状を保持するための構造物１１が必要であった。または図３に示すように貯水槽４が構造物１１の役割を果たしている必要があった。
そこで、この発明は、潅水の時期を解りやすくするために貯水槽４が透明な材質でできている場合でも観賞価値を損なわない給水用の紐を提供することを課題とする。また、給水用紐を取り付けた植木鉢、または給水用紐を植木鉢に接する様に支える構造物を必要とせず、給水用紐に植木鉢を乗せるだけで簡単に紐を使った底面給水を可能にすることを提供することを課題とする。
【課題を解決するための手段】
【０００４】  以上の課題を解決するために、第一発明は、筒状の覆いの上端及び下端を開放しその中に紐を通して、紐と覆いが一体化していることを特徴とする底面給水用の紐である。
また、第二発明は、覆いの上端及び下端に筒内部が貫通した状態でプレートを取り付け筒の内部に紐を通して、覆いの筒の上端から出した紐が筒状覆いに取り付けられた上部プレートの上に敷かれた給水マットに接するように配置されている。また、覆いの筒の下端から出した紐は貯水槽の水と接するように配置されている。これらが一体化したことを特徴とする底面給水用の紐である。
【発明の効果】
【０００５】  第一発明によれば、透明な貯水槽を使用した場合において、給水用の紐に覆いを設けたので紐が見えにくく鑑賞価値を損なわない。なおかつ、潅水のタイミングが解りやすく、植物の管理が誰にでも簡単にできる。
第二発明によれば、覆いの上端及び下端に筒内部が貫通した状態でプレートを取り付け筒の内部に紐を通して、覆いの筒の上端から出した紐を筒状覆いに取り付けられた上部プレートの上に敷かれた給水マットに接するように配置し、覆いの筒の下端から出した紐は貯水槽の水と接するように配置することにより、給水用の紐を取り付けた植木鉢または、給水用紐を植木鉢に接する様に支える構造物なしに給水マット９の上に植木鉢を置くだけで簡単に底面給水を実現することができる。
【発明を実施するための最良の形態】
【０００６】  この発明の一実施形態を、図１に示す。
紐本体１は吸水性の良い化学繊維製であり、この本体１の側面には、金属製の筒状の覆い２が一体的に設けられている。覆い２上部には鉢を置く上部プレート８が覆い２の筒内部が貫通した状態で取り付けられている。上部プレート上には吸水性の良い化学繊維製で出来た給水マット９が敷かれている。給水マット９は覆い２の上部内より出た紐本体１に接するように配置されている。給水マット９の上には植木鉢３が置かれ内部の培地７と接している。
覆い２の下には下部プレート１０が覆い２の筒内部が貫通した状態で取り付けられている。覆い２の下部からは紐本体１が出ている。これらの物が透明な貯水槽４の中に設置されている。貯水槽４の内部には、上部プレートまでの間に培地７に適度な湿り気を与えるための空間１１が設けられ、その下に水５が入っている。水５は覆い２の下部より内部に通された紐本体１を通して毛細管現象により上部プレート８上部に敷かれた給水マット９を通り、植木鉢３内の培地７に達する。
また覆い２自体に植木鉢３の重さを支えるだけの強度をもたせてある。【０００７】「実施形態の効果」
この実施形態によれば、貯水槽４が透明な場合でも、覆い２の働きで給水用の紐１が見えにくい。したがって鑑賞価値を損なう事なく底面給水ができる。観賞価値を損ずることなしに透明な貯水槽４を使用できるため、水位が良く見え潅水の時期を損ずることが無く簡単に植物の栽培ができる。また給水水用の紐を取り付けた植木鉢または給水用紐を植木鉢に接する様に支える構造物なしに、給水マット９の上に植木鉢を置くだけで簡単に底面給水ができる。【０００８】「他の実施形態」
図２の実施形態では、覆い２の形状は円形の筒状であったが、他の実施形態では、多角形の筒状または不定形のものに穴が上下に貫通したもの、または針金状のものを螺旋状に巻いたものでも良い。また、上部プレート８及び下部プレート１０の形状は円盤状のものであったが、多角形又は不定形なものでもよい。
図２の実施形態では、覆い２及び上部プレート８及び下部プレート１０の材質は金属であったが紙、布、陶器、ガラス、プラスチック、木材、石などに置き換えたものでも良い。
図２の実施形態では、覆い２と上部プレートの８材質は吸水性の無い金属であったが、材質自体に吸水性があり給水機能を持たせたものでもよい。また給水用の紐本体１の表面を鑑賞価値が落ちないように加工し、その内部に植木鉢３の重さを支えるだけの強度を持たせる材質を組み込んだものでもよい。また、紐本体１自体に植木鉢３の重さを支えるだけの強度を持たせたものでもよい。
図２の実施形態では、給水用の紐本体１及び給水マット９の材質は吸水性の良い化学繊維であったが、他の実施形態では、吸水性の良い紙、布、陶器、ガラス繊維、石、木材などに置き換えたものでも良い。
図２の実施形態では、上部プレート８の上に給水マット９を置いて給水用の紐本体１に接する様に配置したものであったが、給水マット９と給水用の紐本体１とが連続した状態で出来ているものでも良い。
【図面の簡単な説明】
【０００９】
【図１】この発明の一実施形態を示す斜視図である。
【図２】この発明の一実施形態を示す断面図である。
【図３】従来技術を示す断面図である。
【図４】従来技術を示す断面図である。
【図５】従来技術を示す断面図である。
【符号の説明】
【００１０】      １  給水用の紐本体                ２  覆い
３  植木鉢                        ４  貯水槽
５  水                            ６  植物
７  培地                          ８  上部プレート
９  給水マット                  １０  下部プレート
１１  空間                        １２  構造物
【図１】
2005198636.tif 000003
【図２】
2005198636.tif 000004
【図３】
2005198636.tif 000005
【図４】
2005198636.tif 000006
【図５】
2005198636.tif 000007